(57)【要約】【課題】  ホルダからベースを取り外すときに取り外しが容易にでき且つ取り外し時における損傷を防止できるレンズ駆動装置を提供する。【解決手段】  本発明のレンズ駆動装置１は、コイル１５に通電して生じる電磁力によりレンズ支持体７をレンズ２０の光軸方向に移動するレンズ駆動装置１であって、ホルダ６は複数の一方側係合部と複数の他方側係合部とを備え、複数の一方側係合部３３ａ、３３ｂはホルダ６の一方側に並んで列をなし、複数の他方側係合部３３ｃ、３３ｄはホルダの他方側に並んで列を成しており、且つ一方側係合部と他方側係合部とは間隔をあけて対向しており、一方側係合部３３ａ、３３ｂの列と他方側係合３３ｃ、３３ｄの列との間にベース５を配置して、各係合部はベース５の側面に外側から係合すると共に各係合部３３ａ、３３ｂ、３３ｃ、３３ｄのみでベース５を脱着可能に係合することにより、ベース５にホルダ６を固定してある。【選択図】      図１
2006330227.tif 000002
【特許請求の範囲】
【請求項１】
ヨークと、マグネットと、コイルと、外周にコイルが固定されたレンズ支持体と、これらを収納するベースと、基板に固定されるホルダとを備え、コイルに通電して生じる電磁力によりレンズ支持体をレンズの光軸方向に移動するレンズ駆動装置であって、ホルダは複数の一方側係合部と複数の他方側係合部とを備え、複数の一方側係合部はホルダの一方側に並んで列を成し、複数の他方側係合部はホルダの他方側に並んで列を成しており、且つ一方側係合部の列と他方側係合部の列とは間隔をあけて対向しており、一方側係合部の列と他方側係合の列との間にベースを配置して、各係合部はベースの側面に外側から係合すると共に各係合部のみでベースを脱着可能に係合することにより、ベースにホルダを固定してあることを特徴とするレンズ駆動装置。
【請求項２】
各係合部は光軸方向に突設した脚部と、脚部の先端に設け且つベースの側面に向けて突出した係合突起とを有し、脚部は弾性変形可能としてあることを特徴とする請求項１に記載のレンズ駆動装置。
【請求項３】
ホルダはベースに設けた被嵌合部に嵌合する嵌合部を有し、ベースの被嵌合部はベースの基底部に設けてあり且つレンズの外周よりも径の大きな円形の孔であり、ホルダに設けた嵌合部は被嵌合部の内周に嵌合する環状の突部であることを特徴とする請求項２に記載のレンズ駆動装置。
【発明の詳細な説明】
【技術分野】
【０００１】
本発明は、携帯型小型カメラ等に用いられ、光軸方向にレンズを駆動するレンズ駆動装置に関する。
【背景技術】
【０００２】
特許文献１には、基板に固定されたホルダとベースとを係合により固定したレンズ駆動装置が開示されており、ベース内には、ヨークと、マグネットと、コイルと、外周にコイルが固定されたレンズ支持体とが収納されている。一方、ホルダはＣＣＤ素子等が搭載された基盤に固定されている。この公報に開示の技術では、ホルダには一つの一方側係合部と一つの他方側係合部とを対向して設けると共に、ベースには、一方側係合部と他方側係合部と共に三角形を形成する位置に第３の係合部を設け、ホルダに設けた一方側係合と他方側係合とベースに設けた第３の係合部とでホルダとベースとを相互に係合して両者を固定することが開示されている。このように、ホルダに対してベースを着脱可能に固定することにより、例えばベースに不良等が合った場合には、ホルダからベースを外して他のベースと交換したり、あるいはベースの不良部分を直して再装着できるようにしている。
【０００３】
【特許文献１】特開２００５−１２８３９２号公報
【発明の開示】
【発明が解決しようとする課題】
【０００４】
しかしながら、上述した従来技術では、異なる３方向に向けて係合部を同時に開き難くいこと及び係合部がベースとホルダとの両方にあることから、ホルダからベースを外すときには、ホルダに設けた対向する一方側係合部と他方側係合部を指で離間するようにしてベースとの係合を外し、ベースに設けた第３の係合部を中心にしてホルダに対してベースを回動するようにしてベースをホルダから取り外していたが、第３の係合部においてベースを回動するときに第３の係合部又はその被係合部に無理な力がかかって第３の係合部や被係合部を損傷するおそれがあった。
【０００５】
このような損傷が生じるとホルダ又はベースが使い物にならなくなり、部品が無駄になるという問題がある。
【０００６】
そこで、本発明は、ホルダからベースを取り外すときに取り外しが容易にでき且つ取り外し時における損傷を防止できるレンズ駆動装置の提供を目的とする。
【課題を解決するための手段】
【０００７】
請求項１に記載の発明は、ヨークと、マグネットと、コイルと、外周にコイルが固定されたレンズ支持体と、これらを収納するベースと、基板に固定されるホルダとを備え、コイルに通電して生じる電磁力によりレンズ支持体をレンズの光軸方向に移動するレンズ駆動装置であって、ホルダは複数の一方側係合部と複数の他方側係合部とを備え、複数の一方側係合部はホルダの一方側に並んで列を成し、複数の他方側係合部はホルダの他方側に並んで列を成しており、且つ一方側係合部の列と他方側係合部の列とは間隔をあけて対向しており、一方側係合部の列と他方側係合の列との間にベースを配置して、各係合部はベースの側面に外側から係合すると共に各係合部のみでベースを脱着可能に係合することにより、ベースにホルダを固定してあることを特徴とする。
【０００８】
請求項２に記載の発明は、請求項１に記載の発明において、各係合部は光軸方向に突設した脚部と、脚部の先端に設け且つベースの側面に向けて突出した係合突起とを有し、脚部は弾性変形可能としてあることを特徴とする。
【０００９】
請求項３に記載の発明は、請求項２に記載の発明において、ホルダはベースに設けた被嵌合部に嵌合する嵌合部を有し、ベースの被嵌合部はベースの基底部に設けてあり且つレンズの外周よりも径の大きな円形の孔であり、ホルダに設けた嵌合部は被嵌合部の内周に嵌合する環状の突部であることを特徴とする。
【発明の効果】
【００１０】
請求項１に記載の発明によれば、ベースとホルダとの固定は、ホルダに設けた一方側係合部と他方側係合との間にベースを配置して、各係合部をベースに係合する。一方側係合部と他方側係合とは各々複数あるので、ベースは少なくとも４点でホルダに係合するから、一方側と他方側との２方向のみからの固定であっても両者を確実に固定できる。
【００１１】
ホルダにベースを固定した後、例えばベースに不良等があった場合に、ホルダからベースを外して交換等しようとするときには、対向する一方側係合部と他方側係合部とを各々互いに間隔を広げる方向に離すようにして各係合を外して、ホルダからベースを取り外す。
【００１２】
ベースは、ホルダに対して互いに対向する２方向のみで係合しており、しかもホルダに設けた係合部のみを外すだけであるから、第３の方向の係合がないので、各係合を容易に外すことができると共に、従来技術のような無理な力を加えることなくベースをホルダから外すことができるので、ベースをホルダから外すときの損傷を防止できる。
【００１３】
請求項２に記載の発明によれば、請求項１に記載の作用効果を得ることができると共に、脚部が弾性変形や弾性復帰することにより、ホルダにベースを押し込むだけで、ワンタッチで簡単に組み付けて固定ができる。
【００１４】
請求項３に記載の発明によれば、請求項２に記載の作用効果を得ることができると共に、被嵌合部と嵌合部とはレンズ径よりも大きな径でレンズの外周にそって嵌合するので嵌合範囲を広くとることができ、安定した嵌合を図ることができると共に、ＸＹ方向（光軸と交差する二次元方向）の位置規制を確実に行うことができる。
【発明を実施するための最良の形態】
【００１５】
以下に、添付図面を参照して本発明の実施の形態を説明する。図１の（ａ）は本発明の実施の形態にかかるレンズ駆動装置をホルダとベースとに分解した分解斜視図であり、（ｂ）は（ａ）に示すホルダとベースとを底面側を上にして見た分解斜視図であり、図２は図４に示すレンズ駆動装置のレンズを除いて且つ一部を切断して示す斜視図であり、図３はベースの分解斜視図であり、図４は本実施の形態にかかるレンズ駆動装置であり、ホルダにベースを装着した状態の斜視図である。
【００１６】
本実施の形態にかかるレンズ駆動装置１は、携帯電話に組み込まれるオートフォーカス小型カメラのレンズ駆動装置である。
【００１７】
このレンズ駆動装置１は、熱により基板２に固定されるホルダ６と、後述するレンズ等の各部品を収納したベース５とから構成されており、ベース５はベース本体５ａとフレーム部５ｂとから構成されている。
【００１８】
ベース５には、略円筒形状のヨーク３と、ヨーク３の内周側に配置されるレンズ支持体７と、レンズ支持体７に取り付けられる前側スプリング９と、後側スプリング１１とが収納されており、前側スプリング９はレンズ支持体７におけるレンズの光軸方向前側（先端側）に配置され、後側スプリング１１はレンズの光軸方向後側（後端側）に配置されている。
【００１９】
ヨーク３は断面が略コ字形状であり、コ字の内部にマグネット１３が配置され、コ字の内部でマグネット１３の内周側にコイル１５が配置されている。マグネット１３は後方スペーサ１７を介してベース５に固定されている。コイル１５はレンズ支持体７の外周部に固定されていると共にレンズ支持体７の外周部がヨーク３の内部に入り込んでおり、レンズ支持体７の外周部はヨーク３のコ字の隙間を移動するようになっている。レンズ支持体７は略円筒形状であり、その内部にレンズ２０が収納されている。
【００２０】
前側スプリング９は略環状の板ばねであり、内周側端部９ａはレンズ支持体７に固定してあり、外周側端部９ｂはヨーク３とフレーム部５ｂとの間に固定してあり、外周側端部９ｂとヨーク３との間には前方スペーサ２１が介在されている。
【００２１】
後側スプリング１１は前側スプリング９と略同一形状であり、略環状の板ばねである。後側スプリング１１の内周側端部１１ａはレンズ支持体７の後端に固定してあり、外周側端部１１ｂはフレーム部５ｂの基底部５ｃと後方スペーサ１７との間に固定されている。
【００２２】
尚、ベース本体５ａにはカバー材２４及びシール材２８が設けてあり、前側スプリング９が外から見えないように遮蔽している。
【００２３】
次に、ベース５及びホルダ６の係合について説明する。ベース５及びホルダ６は各々樹脂製であり、ベース５は上述したようにベース本体５ａとフレーム部５ｂとで構成してあり、全体的に外形が略直方体形状を成している。ベース５の側面には段状に形成した４つの被係合部３１ａ、３１ｂ、３１ｃ、３１ｄが形成されている。２つの被係合部３１ａ、３１ｂはベース５の一側面に設けてあり、他の２つの被係合部３１ｃ、３１ｄは、一側面に対向する位置にある他側面に設けてある。
【００２４】
また、ベース５の基底部５ｃには、被嵌合部３９が設けてあり、後述するホルダの嵌合部４１に嵌合するようになっている。被嵌合部３９はレンズ２０の外周よりも径の大きな円形の孔である。
【００２５】
ホルダ６には、ベース５の側面に沿って立設する複数の一方側係合部３３ａ、３３ｂと、複数の他方側係合部３３ｃ、３３ｄとが設けてある。ホルダ６は平面視略矩形であり、矩形の一辺側に２つ一方側係合部３３ａ、３３ｂが設けてあり、他辺側に２つの他方側係合部３３ｃ、３３ｄが設けてある。
【００２６】
一方側係合部３３ａ、３３ｂはホルダの一方側に並んで列を成し、他方側係合部３３ｃ、３３ｄはホルダの他方側に並んで列を成している。また、一方側係合部３３ａ、３３ｂと他方側係合部３３ｃ、３３ｄとは間隔をあけて対向しており、一方側係合部３３ａ、３３ｂと他方側係合３３ｃ、３３ｄの間にベース５が配置されている。
【００２７】
各係合部３３ａ、３３ｂ、３３ｃ、３３ｄは光軸方向に突設した脚部３５と、脚部３５の先端に設けてあり且つベース５の側面に向けて突出した係合突起３７とを有し、脚部３５はベース５の外側に向けて弾性変形可能としてある。
【００２８】
ホルダ６に設けた嵌合部４１は、被嵌合部３９の内周に嵌合する環状の突部である。
【００２９】
尚、ホルダ６は、裏面が基板２との溶着面になっている。
【００３０】
次に、本発明にかかるレンズ駆動装置１の組み立て、作用及び効果について説明する。
【００３１】
ベース５の組み立ては、レンズ支持体７に後側スプリング１１の内周側端部１１ａを取付け、マグネット１３、レンズ支持体７に固定したコイル１５をヨーク３の内部に配置して、ベース本体５ａの基底部５ｃに後方スペーサ１７を介して組み付ける。その後、前方スペーサ２１とヨーク３との間に前方スプリング９の内周側端部９ａを載置して固定すると共にフレーム部５ｂをベース本体５ａに取り付けて外周側端部９ｂをフレーム部５ｂで固定する。ベース本体５ａの前面（光軸方向前側面）には、金属製のカバー材２４及び樹脂製のシール材２８を貼着する。
【００３２】
一方、基板２とホルダ６とは、熱硬化樹脂接着剤を貼付した後熱を付与して、接着剤を熱硬化させることにより固定する。
【００３３】
そして、ホルダ６の嵌合部４１をベース５の被嵌合部３９の内周に嵌まる位置に合わせて、ホルダ６に設けた一方側係合部３３ａ、３３ｂと他方側係合部３３ｃ、３３ｄとの間にベース５を押し込む。すると、各係合部の係合突起３７がベース５に押されて脚部３５が弾性変形して外側に広がり、押し込み終わると、それぞれ弾性復帰して各係合部３３ａ〜３３ｄの係合突起３７が各々被係合部３１ａ〜３１ｄに係合すると共に、ホルダ６の嵌合部４１とベース５の被嵌合部３９とが嵌合する。これにより、ホルダ６にベース５が位置規制され且つ固定される。
【００３４】
本実施の形態では、ホルダ６にベース５を押し込むだけで、ワンタッチで簡単に組み付け固定ができる。
【００３５】
本実施の形態によれば、ホルダ６と基板２とは熱硬化樹脂接着剤に熱を付与して固定する一方、レンズ支持体７等の各部品を収納したベース５をホルダ６に係合及び嵌合により装着するので、ベース５はホルダ６が基板２に接着されるときの熱の影響を受けず、ベース５内に収納されているレンズ等が熱により損傷したり悪影響を受けるのを防止できる。
【００３６】
ベース５とホルダ６との固定は、ホルダ６に設けた２つの一方側係合部３３ａ、３３ｂと２つの他方側係合部３３ｃ、３３ｄとで係合固定しているので、ベース５は少なくとも４点でホルダ６に係合するから、確実に固定できる。
【００３７】
ホルダ６にベース５を装着した後、例えばベース５に不良等があった為にホルダ６からベース５を外して交換等するときには、一方側係合部３３ａ、３３ｂと他方側係合部３３ｃ、３３ｄとを各々互いに間隔を広げる方向に離すようにして各係合を外して、ホルダからベースを取り外す。
【００３８】
各係合部３３ａ〜３３ｄは、ホルダ６のみに設けてあり、しかも対向する２方向のみに付勢して外すだけであるから、各係合を容易に且つ同時に外すことができると共に、係合部が係合部したままベース５やホルダ６を回動して外すことがないので、ベース５をホルダ６から外すときの損傷を防止できる。
【００３９】
ベース５に設けた被嵌合部３９とホルダ６に設けた嵌合部４１とはレンズ径よりも大きな径でレンズの外周にそって嵌合するので嵌合範囲を広くとることができ、安定した嵌合を図ることができると共に、ＸＹ方向（光軸と交差する二次元方向）の位置規制を確実に行うことができる。
【００４０】
ベース５は、ホルダ６に対して係合や嵌合により固定されているので、各係合や嵌合を外すことにより着脱可能であるから、ベース５内に収納されているレンズ２０やコイル１５等の各部品の不具合や組み付け不良等があった場合には、別のベース（レンズ等を収納したもの）５と交換して使用できる。同様に、基板２に不具合があった場合にも、ホルダを固定した別の基板２と交換して使用できる。したがって、部品の無駄を低減できる。
【００４１】
本発明は、上述した実施の形態に限らず、本発明の要旨を逸脱しない範囲で種々変形可能である。
【００４２】
例えば、一方側係合部３３ａ、３３ｂと他方側係合部３３ｃ、３３ｄの数は限定されず、各々複数であれば、幾つ設けてもよい。
【図面の簡単な説明】
【００４３】
【図１】（ａ）は本発明の実施の形態にかかるレンズ駆動装置をホルダとベースとに分解した分解斜視図であり、（ｂ）は（ａ）に示すホルダとベースとを底面側を上にして見た分解斜視図である。
【図２】図４に示すレンズ駆動装置のレンズを除いて且つ一部を切断して示す斜視図である。
【図３】ベースの分解斜視図である。
【図４】本実施の形態にかかるレンズ駆動装置であり、ホルダにベースを装着した状態の斜視図である。
【００４４】
１      レンズ駆動装置
３      ヨーク
５      ベース
６      ホルダ
７      レンズ支持体
１３    マグネット
１５    コイル
３３ａ、３３ｂ    一方側係合部
３３ｃ、３３ｄ    他方側係合部
３５    脚部
３７    係合突起
３９    被嵌合部
４１    嵌合部
【図１】
2006330227.tif 000003
【図２】
2006330227.tif 000004
【図３】
2006330227.tif 000005
【図４】
2006330227.tif 000006